(57)【特許請求の範囲】
【請求項１】
映像光の入光側に配置され、第１拡散層を含む第１シートと、
映像光の出光側に配置され、第２拡散層を含む第２シートと、
前記第１シートと前記第２シートとの間隔を調整して、スペックルの発生を抑制する中間層とを備え、
前記第１シートは、
前記第１拡散層と、
光屈折層が形成されたフレネルレンズシートと、
を備え、
前記第２シートは、
前記第２拡散層と、
第１光制御層が形成された第１光拡散シートと、
第２光制御層が形成された第２光拡散シートと、
を備え、
前記第１光制御層は、第１光透過部と第１光吸収部とが交互に第１方向に配列されており、
前記第２光制御層は、第２光透過部と第２光吸収部とが交互に、第１方向とは直交する第２方向に配列されており、
前記中間層は、光透過性を有する板材であり、当該透過型スクリーンの厚さ方向における前記板材の厚みが０．３ｍｍ〜２．０ｍｍの範囲内であり、前記板材のヘイズ値が０〜１０％の範囲内であること、
を特徴とする透過型スクリーン。
【請求項２】
映像光の入光側に配置され、第１拡散層を含む第１シートと、
映像光の出光側に配置され、第２拡散層を含む第２シートと、
前記第１シートと前記第２シートとの間隔を調整して、スペックルの発生を抑制する中間層とを備え、
前記第１シートは、
前記第１拡散層と、
光屈折層が形成されたフレネルレンズシートと、
を備え、
前記第２シートは、
前記第２拡散層と、
第１光制御層が形成された第１光拡散シートと、
第２光制御層が形成された第２光拡散シートと、
を備え、
前記第１光制御層は、第１光透過部と第１光吸収部とが交互に第１方向に配列されており、
前記第２光制御層は、第２光透過部と第２光吸収部とが交互に、第１方向とは直交する第２方向に配列されており、
前記中間層は、空気層であり、当該透過型スクリーンの厚さ方向における前記空気層の間隔は、０．３ｍｍ〜１．８ｍｍの範囲内であること、
を特徴とする透過型スクリーン。
【請求項３】
請求項１又は請求項２に記載の透過型スクリーンであって、
前記第１シート及び前記第２シートは、縦寸法をＡ、横寸法をＢとしたときに、Ｂ／Ａの値が５から２５までの範囲に含まれる矩形状であること、
を特徴とする透過型スクリーン。
【請求項４】
請求項１から請求項３までのいずれか１項に記載の透過型スクリーンと、
前記透過型スクリーンに映像光を投射するレーザ走査式のプロジェクタと、
を備える表示装置。
【発明の詳細な説明】
【技術分野】
【０００１】
本発明は、透過型スクリーン及びこれを備えた表示装置に関する。
【背景技術】
【０００２】
従来、プロジェクタから出力された映像光をスクリーンの背面側に投射して、観察側に映し出す表示装置が知られている。この種の表示装置には、フレネルレンズシートと光拡散シートとを積層した透過型スクリーンが用いられている（例えば、特許文献１、２参照）。
【先行技術文献】
【特許文献】
【０００３】
【特許文献１】特開２０１５−６４４９７号公報
【特許文献２】特開２０１５−６９１４８号公報
【発明の概要】
【発明が解決しようとする課題】
【０００４】
レーザ走査式プロジェクタは、位相が揃った映像光を出力するレーザ光源を使用したプロジェクタである。このレーザ走査式プロジェクタから出力された映像光を透過型スクリーンに投射した場合、観察側に映し出される画像に、スペックルと呼ばれる微細な干渉パターン（輝度の濃淡）が発生する。このスペックルは、観察者に画像のぎらつきとして認識されるため、スペックルの発生を抑制することが求められている。
【０００５】
本発明の課題は、レーザ光源から出力された映像光を投射した際のスペックルの発生を抑制した透過型スクリーン及び表示装置を提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
・第１の発明は、映像光の入光側に配置され、第１拡散層（１１）を含む第１シート（１０）と、映像光の出光側に配置され、第２拡散層（２２）を含む第２シート（２０）と、前記第１シートと前記第２シートとの間隔を調整して、スペックルの発生を抑制する中間層と、を備える透過型スクリーン（２）である。
・第２の発明は、第１の発明の透過型スクリーン（２）であって、前記中間層は、光透過性を有する板材（３０）であることを特徴とする透過型スクリーンである。
・第３の発明は、第１の発明の透過型スクリーン（２）であって、前記中間層は、空気層（４０）であることを特徴とする透過型スクリーンである。
・第４の発明は、第１から第３までのいずれかの発明の透過型スクリーン（２）であって、前記第１シート（１０）は、前記第１拡散層（１１）と、光屈折層（１２）が形成されたフレネルレンズシート（１２）と、を備え、前記第２シート（２０）は、前記第２拡散層（２２）と、光制御層（２１）が形成された光拡散シートと、を備えることを特徴とする透過型スクリーンである。
・第５の発明は、第１から第３までのいずれかの発明の透過型スクリーン（２）であって、前記第１シート（１０）及び前記第２シート（２０）は、縦寸法をＡ、横寸法をＢとしたときに、Ｂ／Ａの値が５から２５までの範囲に含まれる矩形状であることを特徴とする透過型スクリーンである。
・第６の発明は、第１から第５までのいずれかの発明の透過型スクリーン（２）と、前記透過型スクリーンに映像光を投射するレーザ走査式のプロジェクタ（３）と、を備える表示装置（１）である。
【発明の効果】
【０００７】
本発明によれば、レーザ光源から出力された映像光を投射した際のスペックルの発生を抑制した透過型スクリーン及び表示装置を提供することができる。
【図面の簡単な説明】
【０００８】
【図１】第１実施形態の投射型表示装置１の構成を説明する図である。
【図２】第１実施形態の透過型スクリーン２の層構成を説明する図である。
【図３】透過型スクリーンの層構成とスペックルとの関係を説明するグラフである。
【図４】第２実施形態の透過型スクリーン２Ａの層構成を説明する図である。
【図５】変形形態の光拡散シート２０Ａの層構成を説明する図である。
【発明を実施するための形態】
【０００９】
以下、本発明の実施形態ついて説明する。なお、本明細書に添付した図面においては、理解しやすさ等を考慮して、各部の形状、縮尺、縦横の寸法比等を、実物から変更又は誇張している。また、各図においては、部材の断面を示すハッチングを省略する。
本明細書において、形状、幾何学的条件、これらの程度を特定する用語、例えば、「平行」、「直交」、「方向」、「向き」等については、その用語の厳密な意味に加えて、同様の光学的機能を奏し、ほぼ平行、ほぼ直交等とみなせる程度の範囲、概ねその方向及び向きとみなせる範囲を含む。
本明細書において、「シート」、「板」等の用語は、呼称の相違に基づいて、相互に区別されない。例えば、「板」は、シート（又はフィルム）と呼ばれ得る部材をも含む概念である。
【００１０】
また、以下に説明する図面には、ＸＹＺの直交座標系を記載した（図３を除く）。この座標系は、透過型スクリーン２の使用状態において、画面上下（鉛直）方向をＹ方向、画面左右方向をＸ方向、厚さ（奥行）方向をＺ方向とする。ここで、画面上下方向（Ｙ方向）のうち、下側をＹ１側とし、上側をＹ２側とする。画面左右方向（Ｘ方向）のうち、右側をＸ１側とし、左側をＸ２側とする。厚さ方向（Ｚ方向）のうち、映像光の入光側をＺ１側とし、映像光の出光（観察）側をＺ２側とする。
【００１１】
（第１実施形態）
図１は、第１実施形態の投射型表示装置１の構成を説明する図である。図２は、第１実施形態の透過型スクリーン２の層構成を説明する図である。
図１に示すように、投射型表示装置１は、透過型スクリーン２と、プロジェクタ３と、を備える。透過型スクリーン２及びプロジェクタ３は、全体が細長い箱枠形に形成された筐体（不図示）に収納されている。
【００１２】
透過型スクリーン２は、プロジェクタ３から投射された映像光を拡散させて、画像として観察者側に映し出すシート状の積層体である。透過型スクリーン２は、フレネルレンズシート（第１シート）１０と、光拡散シート（第２シート）２０と、透明板（中間層）３０と、を備える。
【００１３】
フレネルレンズシート１０は、映像光の入光側（Ｚ１側）に配置された光学シートである。光拡散シート２０は、映像光の出光側（Ｚ２側）に配置された光学シートである。透明板３０は、フレネルレンズシート１０と光拡散シート２０との間に配置された板材である。フレネルレンズシート１０、光拡散シート２０及び透明板３０の構成については、後に詳細に説明する。
【００１４】
本実施形態において、透過型スクリーン２を構成するフレネルレンズシート１０、光拡散シート２０及び透明板３０は、それぞれ縦寸法（画面上下方向の寸法）が５７ｍｍ、横寸法（画面左右方向の寸法）が１１９８ｍｍとなる。したがって、縦寸法をＡ、横寸法をＢとしたときに、Ｂ／Ａの値はおよそ２１となる。各レンズシートにおけるＢ／Ａの値は、５から２５までの範囲内であることが望ましい。
【００１５】
このような細長い矩形状の透過型スクリーン２を備えた投射型表示装置１は、例えば小売店等において、商品の陳列棚に設置される。透過型スクリーン２には、陳列棚に並べられた商品に関する説明文、価格等の商品情報に関する画像が映像光により映し出される。そのため、観察者である顧客に違和感を与えないように、画像のぎらつきを出来るだけ低減する必要がある。
【００１６】
プロジェクタ３は、映像光を透過型スクリーン２の背面側から投射する装置である。本実施形態のプロジェクタ３は、レーザ走査式プロジェクタである。レーザ走査式プロジェクタは、赤、青、緑の各色のレーザ光を出力するレーザ光源（不図示）を備える。レーザ走査式プロジェクタは、これら各色のレーザ光を１つの光線として束ね、透過型スクリーン２上でラスタースキャンすることにより、観察者側に画像を映し出す装置である。
【００１７】
次に、透過型スクリーン２のフレネルレンズシート１０、光拡散シート２０及び透明板３０の構成ついて説明する。
フレネルレンズシート１０は、プロジェクタ３から出力された映像光を最適な出光角に屈折させて、光拡散シート２０側に出光する光学部材である。フレネルレンズシート１０は、図２に示すように、映像光の入光側（Ｚ１側）から順に、拡散層（第１拡散層）１１、基材層１３、フレネルレンズ層１２を備える。
【００１８】
拡散層１１は、入射した映像光を拡散させる層である。拡散された映像光は、拡散層１１で結像する。
フレネルレンズ層１２は、光屈折層として機能する層である。フレネルレンズ層１２は、図１に示すように、略三角断面のプリズムが平行に複数配列されたリニアフレネルレンズとして構成されている。なお。フレネルレンズ層１２は、サーキュラーフレネルレンズとして構成されていてもよい。フレネルレンズ層１２は、例えば、アクリル樹脂、ポリエステル樹脂、ポリエチレン樹脂、ポリカーボネート樹脂、ポリエチレンテレフタレート樹脂等の光透過性を有する樹脂により形成される。
【００１９】
基材層１３は、拡散層１１及びフレネルレンズ層１２を支持するための層である。基材層１３は、例えば、ポリエチレンテレフタレート樹脂等より形成される。
上記各層により構成されるフレネルレンズシート１０は、全体として、０．３１ｍｍから０．３６ｍｍまでの厚さに形成される。
【００２０】
光拡散シート２０は、フレネルレンズシート１０側から入射した映像光のコントラストを上げると共に、映像光を観察側に向けて拡散させる光学部材である。光拡散シート２０は、図２に示すように、映像光の入射側から順に、光制御層２１、接着層２３、拡散層２２、基材層２５、ハードコート層２４を備える。
【００２１】
光制御層２１は、フレネルレンズシート１０側から入射した映像光を散乱させて、主に上下方向（Ｙ方向）の広い範囲に向けて出射する層である。
光透過部２１１は、入射した映像光を透過させる部分である。光透過部２１１は、画面左右方向（Ｘ方向）に沿って延在し、且つ図２に示すように、画面上下方向（Ｙ方向）に沿って複数配列されている。光透過部２１１は、図２に示すように、光拡散シート２０の厚さ方向（Ｚ方向）における断面形状が、出光側を上底とし、入光側と下底とする（出光側が短辺、入光側が長辺となる）台形形状となる。
【００２２】
光吸収部２１２は、入射した光の一部及び迷光を吸収する部分である。光吸収部２１２は、図２に示すように、隣接する光透過部２１１との間の谷部分に形成されている。光吸収部２１２は、着色されている。光吸収部２１２は、光透過部２１１よりも屈折率の小さい材料により形成されている。光吸収部２１２は、画面左右方向（Ｘ方向）に沿って延在し、且つ図２に示すように、画面上下方向（Ｙ方向）に沿って複数配列されている。
【００２３】
光吸収部２１２は、図２に示すように、光拡散シート２０の厚さ方向（Ｚ方向）における断面形状が、楔形状となる。ここで、楔形状とは、一方の端部の幅が広く、他方に向けて次第に幅が狭くなる形状をいい、三角形、台形等を含む。光吸収部２１２は、楔形状の斜面部分（図２参照）が映像光の全反射面となる。光吸収部２１２の斜面部分で全反射した映像光は、拡散層２２側に出射する。
【００２４】
拡散層２２は、光制御層２１により画面上下方向に拡散された映像光を更に拡散させる層である。拡散された映像光は、拡散層２２の出光側の面で結像する。拡散層２２は、接着層２３を介して光制御層２１と接合されている。
【００２５】
ハードコート層２４は、光拡散シート２０の表面を高硬度化して保護する層である。ハードコート層２４は、映像光の出光側（Ｚ２側）に拡散面（不図示）を有する。ハードコート層２４は、例えば、硬化性樹脂組成物の硬化物により形成される。
【００２６】
基材層２５は、拡散層２２及びハードコート層２４を支持するための層である。基材層２５は、例えば、ポリエチレンテレフタレート樹脂等より形成される。拡散層２２、ハードコート層２４及びこれらを支持する基材層２５は、一体の拡散板として構成される。この拡散板は、約１．６ｍｍ程度の厚さに形成される。
上記各層により構成される光拡散シート２０は、全体として、約２ｍｍの厚さに形成される。
【００２７】
透明板３０は、フレネルレンズシート１０と光拡散シート２０との間隔を調整して、スペックルの発生を抑制する板材である。フレネルレンズシート１０と光拡散シート２０との間に透明板３０を配置することにより、フレネルレンズシート１０と光拡散シート２０との間を、予め設定された間隔に保つことができる。後述するように、フレネルレンズシート１０と光拡散シート２０との間を、予め設定された間隔に保つことにより、スペックルの発生を抑制することができる。
【００２８】
透明板３０は、例えば、アクリル樹脂、ポリカーボネート、シクロオレフィンポリマー、ポエチレンテレフタレート等により形成される。透明板３０の厚さｔは、フレネルレンズシート１０及び光拡散シート２０の層構成、プロジェクタ３の出力、焦点精度、解像度等の条件により異なるが、一例として０．３〜２．０ｍｍの範囲が挙げられる。また、透明板３０は、無色でもよいし、有色でもよい。透明板３０のヘイズ値は、０〜１０％の範囲が望ましい。ヘイズ値とは、全透過光に対する拡散透過光の割合である。透明板３０の表面には、反射防止処理、ハードコート処理等を施してもよい。透明板３０の表面に反射防止処理を施した場合、表面反射が低下するため、透過率を向上させることができる。また、透明板３０の表面にハードコート処理を施した場合、透明板３０を他のシートと積層した時の傷付きを抑制することができる。
【００２９】
なお、透明板３０の厚さｔが小さすぎると、スペックルの発生を抑制する効果が低下するため、画像のぎらつきを低減することが難しくなる。また、透明板３０の厚さｔが大きすぎると、スペックルの発生は抑制されるが、像ボケ（後述）が大きくなるため、画像のコントラストが低下する。画像のコントラストが低下すると、透過型スクリーン２に表示された商品情報等が見えにくくなるため、顧客に対する訴求効果が小さくなる。そのため、スペックルの発生を抑制しつつ、画像のコントラストの低下を出来るだけ小さくするには、透明板３０の厚さｔを上記の数値範囲とすることが望ましい。
【００３０】
なお、図１では、透過型スクリーン２の構成を分かりやすくするため、フレネルレンズシート１０、光拡散シート２０及び透明板３０のそれぞれの間に隙間を設けているが、透過型スクリーン２を積層した状態では、図２に示すように、隙間なく密着している。
【００３１】
第１実施形態の透過型スクリーン２において、プロジェクタ３からフレネルレンズシート１０に向けて映像光を投射すると、映像光は、フレネルレンズシート１０の拡散層１１で結像した後、フレネルレンズ層１２で最適な出光角に屈折され、透明板３０に出射される。フレネルレンズシート１０から出射した映像光は、フレネルレンズ層１２と透明板３０との界面で屈折し、透明板３０内を光拡散シート２０に向けて移動する。第１拡散層１１で拡散された映像光は、透明板３０内を移動することにより、広い範囲に散乱する。
【００３２】
透明板３０から出光した映像光は、光制御層２１（光拡散シート２０）で更に散乱し、上下方向（Ｙ方向）の広い範囲から出射する。光制御層２１から出射した映像光は、拡散層２２で結像し、光拡散シート２０の出光面に画像として映し出される。
光拡散シート２０の出光面には、映像光が透明板３０内で散乱した分だけ像ボケが生じた画像が映し出される。この像ボケにより、観察者側に映し出される画像は、スペックルの発生が抑制された画像となる。また、本実施形態の透過型スクリーン２は、像ボケの発生により、ゲイン、視野角等の光学性能を損なうことがない。
【００３３】
以上説明したように、本実施形態の透過型スクリーン２は、プロジェクタ３（レーザ光源）から出力された映像光を投射した際のスペックルの発生を抑制することができる。そのため、本実施形態の透過型スクリーン２は、画像のぎらつきを低減することができる。
【００３４】
本実施形態の透過型スクリーン２は、フレネルレンズシート１０と光拡散シート２０との間に透明板３０を配置している。そのため、透過型スクリーン２は、フレネルレンズシート１０と光拡散シート２０との間隔を、より正確且つ均一に保つことができる。
【００３５】
次に、像ボケとスペックルとの関係について説明する。
図３は、透過型スクリーンの層構成とスペックルとの関係を説明するグラフである。透過型スクリーンの層構成の違いによるスペックル値を評価するため、透過型スクリーンに映し出された画像（均一な白表示信号からなる画像）を、ＣＣＤの輝度計で撮影した。そして、撮影した画像の輝度を２次元の輝度分布として表示し、画素毎の輝度について、標準偏差を平均値で除算した値をスペックル値とした。
【００３６】
図３において、比較例１は、光拡散シートのみ（フレネルレンズシートなし）を備えた透過型スクリーンで測定したスペックル値を示すグラフである。比較例２は、光拡散シートとフレネルレンズシートとを積層した透過型スクリーンで測定したスペックル値を示すグラフである。比較例２の透過型スクリーンは、光拡散シートとフレネルレンズシートとの間を隙間なく密着させた。また、比較例２の光拡散シートは、比較例１と同じである。実施例は、光拡散シートとフレネルレンズシートとの間に厚さ１ミリのポリカーボネート製の透明板を積層した透過型スクリーンで側例したスペックル値を示すグラフである。実施例の光拡散シート及びフレネルレンズシートは、比較例２と同じである。
【００３７】
図３に示すように、フレネルレンズシートを備えてない比較例１では、スペックル値が１２．８％となり、スペックルによる画像のぎらつきが強く感じられた。また、光拡散シートとフレネルレンズシートを積層した比較例２では、スペックル値が８．５％となり、比較例１より低くなったが、スペックルによる画像のぎらつきがやや強く感じられた。一方、透明板を備えた実施例は、スペックル値が５．３％となり、スペックルによる画像のぎらつきが弱く感じられ、実用上問題のないレベルであることが明らかとなった。
【００３８】
（第２実施形態）
図４は、第２実施形態の透過型スクリーン２Ａの層構成を説明する図である。
第２実施形態の透過型スクリーン２Ａは、スペックルの発生を抑制する中間層として、空気層４０を備える点が第１実施形態の透過型スクリーン２と相違する。第２実施形態の透過型スクリーン２Ａにおいて、その他の構成は、第１実施形態の透過型スクリーン２と同じである。そのため、第２実施形態の説明及び図面において、第１実施形態と同等の部材等には、第１実施形態と同一の符号を付し、重複する説明を省略する。
【００３９】
図４に示すように、第２実施形態の透過型スクリーン２Ａは、フレネルレンズシート１０と光拡散シート２０との間に、空気層４０が形成されている。フレネルレンズシート１０と光拡散シート２０を筐体（不図示）に取り付ける際に、フレネルレンズシート１０と光拡散シート２０の上下方向（Ｙ方向）の端部及び左右方向（Ｘ方向）の端部にスペーサを配置することにより、空気層４０を形成することができる。スペーサを配置するこれらの端部は、画像が映し出されない部分であることが望ましい。
【００４０】
空気層４０は、透明板３０よりも屈折率が小さいため、第１拡散層１１で拡散した映像光が厚み方向に同じ距離を移動しても、透明板３０より像ボケは大きくなる。そのため、第２実施形態の透過型スクリーン２Ａは、空気層４０の間隔ｓを短くしても、透明板３０を配置した場合と同様の像ボケを生じさせることができる。これによれば、第２実施形態の透過型スクリーン２Ａは、空気層４０の間隔ｓを透明板３０の厚さｔより短くできるため、全体の厚さをより薄くすることができる。なお、第２実施形態の透過型スクリーン２Ａにおいて、空気層４０の間隔ｓは、各種の条件により異なるが、一例として０．３〜１．８ｍｍの範囲が挙げられる。
【００４１】
以上、本発明の実施形態について説明したが、本発明は、前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、実施形態に記載した効果に限定されない。なお、前述した実施形態及び後述する変形形態の構成は、適宜に組み合わせることもできるが、詳細な説明は省略する。
【００４２】
（変形形態）
（１）図５は、変形形態の光拡散シート２０Ａを説明する図である。
本形態の光拡散シート２０Ａは、光制御層の構成が第１実施形態の光拡散シート２０と相違する。本形態の光拡散シート２０Ａにおいて、その他の構成は、第１実施形態の光拡散シート２０と同じである。そのため、図５では、第１実施形態と同等の部材等に、第１実施形態と同一の符号を付し、重複する説明を省略する。
【００４３】
図５に示すように、本形態の光拡散シート２０Ａは、第１光制御層２１Ａと、第２光制御層２１Ｂと、を備える。第１光制御層２１Ａは、第１実施形態の光制御層２１と同じである。第２光制御層２１Ｂは、第１光制御層２１Ａにおいて、映像光の入射側（Ｚ１側）に積層された層である。第２光制御層２１Ｂにおいて、光透過部２１１は、画面上下方向（Ｙ方向）に沿って延在し、且つ画面左右方向（Ｘ方向）に沿って複数配列されている。同様に、光吸収部２１２は、画面上下方向（Ｙ方向）に沿って延在し、且つ画面左右方向（Ｘ方向）に沿って複数配列されている。
【００４４】
本形態の光拡散シート２０Ａは、２層の光制御層が直交配置されているため、垂直方向だけでなく、水平方向にも光拡散効果が生じる。また、本形態の光拡散シート２０Ａは、拡散する領域がより細分化される。そのため、本形態の光拡散シート２０Ａを備えた透過型スクリーンは、より良好なスペックル値を得ることができる。
【００４５】
（２）第１及び第２実施形態では、光の入射側に配置される第１シートをフレネルレンズシート１０とし、光の出射側に配置される第２シートを光拡散シート２０とした例について説明したが、これに限定されない。第１シートは、レンズ面のない拡散板のみであってもよい。また、第２シートは、着色層及び結像層を有する拡散板であってもよい。更には、第１シート及び第２シートの両方を拡散板としてもよい。
【００４６】
（３）第１及び第２実施形態では、透過型スクリーン２を構成するフレネルレンズシート１０、光拡散シート２０及び透明板３０を細長い矩形状とした例について説明したが、これに限定されない。フレネルレンズシート１０、光拡散シート２０及び透明板３０において、Ｂ（横寸法）／Ａ（縦寸法）の値は、４以下であってもよい。
【符号の説明】
【００４７】
１    投射型表示装置
２，２Ａ    透過型スクリーン
３    プロジェクタ
１０    フレネルレンズシート
１１，２２    拡散層
２０，２０Ａ    光拡散シート
２１    光制御層
３０    透明板
４０    空気層
【図１】
0006805515.tif 000002
【図２】
0006805515.tif 000003
【図３】
0006805515.tif 000004
【図４】
0006805515.tif 000005
【図５】
0006805515.tif 000006